(57)【要約】【課題】キッチンユニット本体を所定位置にスムーズに回動できると共に、キッチン使用時にはキッチンユニット本体の遊動、転倒が防止され、さらにキッチンユニット本体の上面を簡単に拡大できるキッチンユニットを提供する。【解決手段】上面に加熱調理機器１４とシンク１６が設けられ、かつ底部に移動用車輪１８が設けられたキッチンユニット本体１２と、キッチンユニット本体の底面とキッチン床２０との間に設置された、給水、排水、給ガス、給電のすべてもしくはいずれかに使用される各種配管をまとめて挿通させる配管立ち上げ口２４とを備え、キッチンユニット本体が配管立ち上げ口を中心として回動可能とされている。【選択図】図１
2011019600.tif 000002
【特許請求の範囲】
【請求項１】
上面に加熱調理機器とシンクが設けられ、かつ底部に移動用車輪が設けられたキッチンユニット本体と、
前記キッチンユニット本体の底面とキッチン床との間に設置された、給水、排水、給ガス、給電のすべてもしくはいずれかに使用される各種配管をまとめて挿通させる配管立ち上げ口とを備え、
前記キッチンユニット本体が前記配管立ち上げ口を中心として回動可能とされていることを特徴とするキッチンユニット。
【請求項２】
請求項１に記載のキッチンユニットにおいて、
前記キッチンユニット本体の側部に、前記キッチンユニット本体の側面に沿って配置された状態、もしくは前記キッチンユニット本体の内部に配置された状態から前記キッチンユニット本体の上面に連結された状態となるように移動される補助カウンターを出し入れ自在に設けたことを特徴とするキッチンユニット。
【請求項３】
請求項１又は２に記載のキッチンユニットにおいて、
前記配管立ち上げ口は、管体により形成され、前記管体の一端がキッチン床の所定位置に固定され、かつ前記管体の他端が前記キッチンユニット本体の底部を回動可能に保持した状態で設置されていることを特徴とするキッチンユニット。
【請求項４】
請求項１ないし３のいずれかに記載のキッチンユニットにおいて、
前記配管立ち上げ口を挿通して前記キッチンユニット本体内部に配置された前記各種配管に、それぞれフレキシブル管を連結したことを特徴とするキッチンユニット。
【請求項５】
請求項１ないし４のいずれかに記載のキッチンユニットにおいて、
前記キッチンユニット本体の、前記配管立ち上げ口との対向部に、前記配管立ち上げ口の外周面に接して転動する車輪を配設したことを特徴とするキッチンユニット。
【請求項６】
請求項１ないし５のいずれかに記載のキッチンユニットにおいて、
前記キッチンユニット本体の底部に、前記キッチンユニット本体を前記キッチン床の所定位置に固定するためのロック機構を配設したことを特徴とするキッチンユニット。
【発明の詳細な説明】
【技術分野】
【０００１】
本発明は、キッチンユニット本体の上面に加熱調理機器とシンクが設けられ、かつキッチンユニット本体がレイアウト変更可能に設置されるキッチンユニットに関する。
【背景技術】
【０００２】
近年、システムキッチンの分野において、主婦が炊事作業中でも家族とコミュニケーションを取る目的で、対面式キッチンユニット（ 例えば、特許文献１ 参照）が採用されており、このため既設の壁付け式キッチンを対面式キッチンに変更したいとの要望がある。その一方で、対面式キッチンの場合は居住空間を圧迫するので、居住空間のゆとり確保の目的でキッチンユニット本体を他の場所に移動させたいとの要望もある。
【先行技術文献】
【特許文献】
【０００３】
【特許文献１】特開２００６−２８８４７５号公報
【発明の概要】
【発明が解決しようとする課題】
【０００４】
しかし、従来のシステムキッチンにおいては、混合水栓付き流し台、ガスレンジ、ガスオーブン、食器洗い機、電子レンジ等、水回り設備や調理装置等の各種厨房機器が設置されており、キッチンユニット本体を移動させるには、ガスコンセント、給水コンセント、排水コンセント、給湯コンセント、電気コンセント等を、移動先の床面に移し替える大掛かりな配管工事や電気工事等が必要となり、多大なコストと手間がかかるという課題がある。また、キッチンユニット本体は、移動可能な構造とした場合にはスムーズに移動できると共に、キッチン使用時には突然大きな地震等があっても不意に遊動、転倒しないようにしっかり固定されていることが安全上必要である。
【０００５】
本発明は、上記の課題を解決するためになされたもので、キッチンユニット本体を所定位置にスムーズに回動できると共に、キッチン使用時にはキッチンユニット本体の遊動、転倒が防止され、さらに、キッチンユニット本体の上面を簡単に拡大できるキッチンユニットを提供することを目的とする。
【課題を解決するための手段】
【０００６】
以下の構成はそれぞれ上記の課題を解決するための手段である。
〈構成１〉
上面に加熱調理機器とシンクが設けられ、かつ底部に移動用車輪が設けられたキッチンユニット本体と、前記キッチンユニット本体の底面とキッチン床との間に設置された、給水、排水、給ガス、給電のすべてもしくはいずれかに使用される各種配管をまとめて挿通させる配管立ち上げ口とを備え、前記キッチンユニット本体が前記配管立ち上げ口を中心として回動可能とされていることを特徴とするキッチンユニット。
【０００７】
〈構成２〉
構成１に記載のキッチンユニットにおいて、前記キッチンユニット本体の側部に、前記キッチンユニット本体の側面に沿って配置された状態、もしくは前記キッチンユニット本体の内部に配置された状態から前記キッチンユニット本体の上面に連結された状態となるように移動される補助カウンターを出し入れ自在に設けたことを特徴とするキッチンユニット。
【０００８】
〈構成３〉
構成１又は２に記載のキッチンユニットにおいて、前記配管立ち上げ口は、管体により形成され、前記管体の一端がキッチン床の所定位置に固定され、かつ前記管体の他端が前記キッチンユニット本体の底部を回動可能に保持した状態で設置されていることを特徴とするキッチンユニット。
【０００９】
〈構成４〉
構成１ないし３のいずれかに記載のキッチンユニットにおいて、前記配管立ち上げ口を挿通して前記キッチンユニット本体内部に配置された前記各種配管に、それぞれフレキシブル管を連結したことを特徴とするキッチンユニット。
【００１０】
〈構成５〉
構成１ないし４のいずれかに記載のキッチンユニットにおいて、前記キッチンユニット本体の、前記配管立ち上げ口との対向部に、前記配管立ち上げ口の外周面に接して転動する車輪を配設したことを特徴とするキッチンユニット。
【００１１】
〈構成６〉
構成１ないし５のいずれかに記載のキッチンユニットにおいて、前記キッチンユニット本体の底部に、前記キッチンユニット本体を前記キッチン床の所定位置に固定するためのロック機構を配設したことを特徴とするキッチンユニット。
【発明の効果】
【００１２】
〈構成１の効果〉
キッチンユニット本体に接続されている各種配管を気にすることなくキッチンユニット本体のレイアウトを変更できる。キッチンスペースを有効利用できる。
〈構成２の効果〉
キッチンユニット本体の側部に設けられた補助カウンターを必要に応じて所定位置に移動することによりキッチンユニット本体の上面を簡単に拡大でき、キッチンスペースを有効利用できる。
〈構成４の効果〉
キッチンユニット本体内部における各種配管の各端部にそれぞれフレキシブル管を連結したことにより、各種配管による抵抗力を殆ど感じることなくキッチンユニット本体を回動することができる。
〈構成５の効果〉
配管立ち上げ口の外周面を転動する車輪を用いることにより大重量のキッチンユニット本体を回動し易くする。
〈構成６の効果〉
ロック機構により、大きな地震時等にキッチンユニット本体が簡単に移動することが防止され安全性を高めることができる。
【図面の簡単な説明】
【００１３】
【図１】実施例１のキッチンユニットの概要を示す平面図である。
【図２】同キッチンユニットで使用する配管立ち上げ口を示す図で、（ａ）は平面図、（ｂ）縦断面図である。
【図３】同配管立ち上げ口を挿通した各種配管の動作説明図でである。
【図４】同キッチンユニット本体に移動自在に設けられた補助カウンターを示す図で、（ａ）は補助カウンターが動く前の状態を示す説明図、（ｂ）は補助カウンターが動いた後の状態を示す説明図である。
【図５】キッチンユニット本体の使用状況の説明図で、（ａ）はキッチンユニット本体の回動前の状態を示す平面図、（ｂ）はキッチンユニット本体の回動後の状態を示す平面図である。
【図６】キッチンユニット本体の他の使用状況の説明図で、（ａ）はキッチンユニット本体の回動前の状態を示す平面図、（ｂ）はキッチンユニット本体の回動後の状態を示す平面図である。
【図７】キッチンユニット本体のさらに他の使用状況の説明図で、（ａ）はキッチンユニット本体の回動前の状態を示す平面図、（ｂ）はキッチンユニット本体の回動後の状態を示す平面図である。
【発明を実施するための形態】
【００１４】
以下、本発明の実施の形態を詳細に説明する。
【実施例１】
【００１５】
図１は実施例１のキッチンユニットを示す平面図、図２は同キッチンユニットで使用する配管立ち上げ口を示す図で、（ａ）は平面図、（ｂ）縦断面図、図３は同配管立ち上げ口を挿通した各種配管の動作説明図、図４はキッチンユニット本体に回動自在に設けられた補助カウンターを示す図である。
【００１６】
これらの図に示すように、キッチンユニット１０は、上面に加熱調理機器１４とシンク１６が設けられた箱型のキッチンユニット本体１２と、キッチンユニット本体１２の底部とキッチン床２０との間に設けられる配管立ち上げ口２４とを備え、キッチンユニット本体１２が配管立ち上げ口２４を中心として回動可能に構成されている。
【００１７】
キッチンユニット本体１２の底部に、キッチン床２０に接して転動する複数の移動用車輪１８が配設されている。移動用車輪１８はキッチンユニット本体１２をスムーズに回動させる。
【００１８】
配管立ち上げ口２４は、加熱調理機器１４やシンク１６等に連結されて給水、排水、給ガス、給電のすべて、もしくはいずれかに使用される各種配管２２をまとめて挿通させるものである。
【００１９】
配管立ち上げ口２４は、図２（ｂ）に示されるように、例えば、両端にフランジを有する管体２６により形成され、管体２６の一方のフランジが下側となってキッチン床２０の所定位置に固定ボルトにより固定され、かつ管体２６の他方のフランジが上側となってキッチンユニット本体１２の底部を回動可能に保持した状態で設置されている。
【００２０】
キッチンユニット本体１２の、配管立ち上げ口２４との対向部に複数の車輪３４が配設されている。車輪３４は、図２（ｂ）に示されるように管体２６の外周面に接して転動する。車輪３４は、管体２６の周囲の３ないし４箇所に設けられるとよい。
【００２１】
キッチン床２０の所定位置には、予め、管体２６の口径にほぼ合致する貫通孔３０が設けられている。配管立ち上げ口２４を挿通してキッチンユニット本体１２内部に配置された各種配管２２の各端部に、それぞれ各種配管に対応する周知形状のフレキシブル管３２が連結されている。
【００２２】
このようにフレキシブル管３２を連結することにより、図３に示すように、キッチンユニット本体１２の回動時にフレキシブル管３２が柔軟に応動しうる。図３において、実線はフレキシブル管３２が移動する前の状態を表しており、２点鎖線はフレキシブル管３２が矢印３６で示される所定範囲（通常は回転角度が９０度の範囲）で移動した後の状態を表している。
【００２３】
キッチン使用時にキッチンユニット本体１２の遊動、転倒を防止するために、キッチンユニット本体１２の底部に、キッチンユニット本体１２をキッチン床２０の所定位置に固定するためのロック機構（図示せず）が配設されている。
【００２４】
このロック機構としては、例えば、周知のフランス落しのようなキッチンユニット本体１２とキッチン床２０との間で上下に動かして両者を固定するための金具が使用される。ロック機構により、大きな地震時等にもキッチンユニット本体１２が簡単に移動しないようにして安全性を高めることが好ましい。
【００２５】
キッチンユニット本体１２の側部に補助カウンター２８が配設されている。補助カウンター２８は、常時は邪魔にならないようにキッチンユニット本体１２の側面に沿って配置された状態、もしくはキッチンユニット本体１２の内部に配置された状態からキッチンユニット本体１２の上面に連結された状態となるように出し入れ自在に設けられている。
【００２６】
補助カウンター２８としては、種々態様のものが採用されてもよい。例えば、図４（ａ）に示すように、キッチンユニット本体１２の内部に補助カウンター２８とこの補助カウンター２８を支持するブラケット４０とが収納されている。ブラケット４０は直線状に形成されており、先端部近傍に長孔４２が設けられている。ブラケット４０は、キッチンユニット本体１２に止着されている支軸４４に長孔４２を摺動自在に装着して取り付けられている。
【００２７】
補助カウンター２８を利用する場合、図４（ａ）に示された状態から、支軸４４を中心として補助カウンター２８およびブラケット４０を矢印４６の方向に回動する。補助カウンター２８が図４（ｂ）に示すようにほぼ水平になったとき、補助カウンター２８を図中右方に押し込む。これらの動作により、長孔４２と支軸４４とが相対移動する形で補助カウンター２８およびブラケット４０が移動する。
【００２８】
この結果、図４（ｂ）に示すように補助カウンター２８がキッチンユニット本体１２の上面とほぼ同一面に沿った状態となるように移動される。このようにしてキッチンユニット本体１２の上面が実質的に拡大される。
【００２９】
上記のように構成されたキッチンユニット本体１２は、加熱調理機器１４やシンク１６等に接続されている各種配管２２を気にすることなくキッチンユニット本体１２のレイアウトを変更してキッチンスペースを有効利用できる。
【００３０】
図５ないし図７は、それぞれ異なるレイアウトで設置された各キッチンユニット本体の使用状況を示している。
【００３１】
図５に示されたキッチンユニット本体１２は、通常は図５（ａ）に示すようにバルコニー３７に対して横向きにレイアウトされている。この図５（ａ）に示す状態から、キッチンユニット本体１２を、配管立ち上げ口２４を中心として回動することにより、図５（ｂ）に示すようにバルコニー３７に対面した状態にレイアウト変更することができる。なお、符号３８は食器棚を示している。
【００３２】
図６に示されたキッチンユニット本体１２は、通常は図６（ａ）に示すように少人数食卓兼用としてレイアウトされている。このような状態から多人数用にレイアウトするために、図６（ａ）に示す状態からキッチンユニット本体１２を配管立ち上げ口２４を中心として図６（ｂ）に示す状態となるまで回動する。この後、キッチンユニット本体１２の側部に収容されている補助カウンター２８を移動してキッチンユニット本体１２の上面に連結された状態とする。必要に応じて、椅子３９が配置される。
【００３３】
図７に示す例では、配管立ち上げ口２４がキッチンユニット本体１２のほぼ中央部に設置されている。キッチンユニット本体１２は、図７（ａ）に示す状態から配管立ち上げ口２４を中心として図７（ｂ）に示す状態となるまで回動される。この後、キッチンユニット本体１２の側部に収容されている補助カウンター２８を移動してキッチンユニット本体１２の上面に連結された状態とする。
【符号の説明】
【００３４】
１０  キッチンユニット
１２  キッチンユニット本体
１２ａ  底部
１４  加熱調理機器
１６  シンク
１８  移動用車輪
２０  キッチン床
２２  配管
２４  配管立ち上げ口
２６  管体
２８  補助カウンター
３０  貫通孔
３２  フレキシブル管
３４  車輪
３６  矢印
３７  バルコニー
３８  食器棚
３９  椅子
４０  ブラケット
４２  長孔
４４  支軸
４６  矢印
【図１】
2011019600.tif 000003
【図２】
2011019600.tif 000004
【図３】
2011019600.tif 000005
【図４】
2011019600.tif 000006
【図５】
2011019600.tif 000007
【図６】
2011019600.tif 000008
【図７】
2011019600.tif 000009